(57)【特許請求の範囲】
【請求項１】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御する情報処理装置であって、
それぞれの前記錠剤シートの錠剤の収容数を記憶する記憶手段と、
処方データに含まれる錠剤の処方数を取得する取得手段と、
前記取得手段で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得手段で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを特定する特定手段と
を備えることを特徴とする情報処理装置。
【請求項２】
前記特定手段は、前記第１残存錠剤数と、前記第２残存錠剤数のうち、より残存する錠剤が少ない錠剤シートを前記錠剤の供給に用いると特定することを特徴とする請求項１に記載の情報処理装置。
【請求項３】
前記特定手段は、前記第１残存錠剤数と、前記第２残存錠剤数とが同じ数である場合に、より錠剤の収容数が少ない錠剤シートを前記錠剤の供給に用いると特定することを特徴とする請求項１または２に記載の情報処理装置。
【請求項４】
前記特定手段により特定された錠剤の供給に用いる錠剤シートの情報を通知する通知手段を備えることを特徴とする請求項１乃至３のいずれか１項に記載の情報処理装置。
【請求項５】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御する情報処理装置であって、
それぞれの前記錠剤シートの錠剤の収容数を記憶する記憶手段と、
処方データに含まれる錠剤の処方数を取得する取得手段と、
前記取得手段で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得手段で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを選択して設定する設定手段と
を備えることを特徴とする情報処理装置。
【請求項６】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数を記憶する記憶手段を備える情報処理装置の制御方法であって、
処方データに含まれる錠剤の処方数を取得する取得工程と、
前記取得工程で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得工程で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを特定する特定工程と
を備えることを特徴とする情報処理装置の制御方法。
【請求項７】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数を記憶する記憶手段を備える情報処理装置で読み取り実行可能なプログラムであって、
前記情報処理装置を、
処方データに含まれる錠剤の処方数を取得する取得手段と、
前記取得手段で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得手段で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを特定する特定手段と
して機能させることを特徴とするプログラム。
【請求項８】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数を記憶する記憶手段を備える情報処理装置の制御方法であって、
処方データに含まれる錠剤の処方数を取得する取得工程と、
前記取得工程で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得工程で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを選択して設定する設定工程と
を備えることを特徴とする情報処理装置の制御方法。
【請求項９】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数を記憶する記憶手段を備える情報処理装置で読み取り実行可能なプログラムであって、
前記情報処理装置を、
処方データに含まれる錠剤の処方数を取得する取得手段と、
前記取得手段で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得手段で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを選択して設定する設定手段と
して機能させることを特徴とするプログラム。
【発明の詳細な説明】
【技術分野】
【０００１】
本発明は、情報処理装置、情報処理装置の制御方法及びプログラムに関する。
【背景技術】
【０００２】
これまでの調剤業務では、錠剤シートで提供されている錠剤を一包化する際には、人の手によって錠剤シートから錠剤を取り出して１回分ごとに錠剤を錠剤マスへセットする必要があるため、錠剤シートから錠剤を取り出す作業が、調剤師にとって煩雑になるという問題があった。この問題を解決するために、特許文献１のように錠剤シートから錠剤を取り出して錠剤を供給する装置がある。
さらに特許文献１には、錠剤供給装置で使用する錠剤シートの枚数を表示する技術が開示されている。
【０００３】
錠剤供給装置で使用する処方数によっては、必ずしも錠剤シートを使い切れずに、錠剤シートに端数が残る場合があり、このように錠剤シートに端数が残ってしまうと、再び錠剤供給装置でこの端数を使用する際には、端数分は錠剤マスに手撒きして供給しなければならず、作業効率が悪くなるといった課題があるが、特許文献１においてはこの課題は解決されていない。
【先行技術文献】
【特許文献】
【０００４】
【特許文献１】特開２０１３−１９３７５１号公報
【発明の概要】
【発明が解決しようとする課題】
【０００５】
本発明は、収容する錠剤の種類は同じであるが１枚当たりの錠剤の収容数が異なる複数の錠剤シートを有効に活用して、錠剤供給装置から錠剤を供給することが可能な仕組みを提供することを目的とする。
【課題を解決するための手段】
【０００６】
本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御する情報処理装置であって、それぞれの前記錠剤シートの錠剤の収容数を記憶する記憶手段と、処方データに含まれる錠剤の処方数を取得する取得手段と、前記取得手段で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得手段で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを特定する特定手段とを備えることを特徴とする。また、本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御する情報処理装置であって、それぞれの前記錠剤シートの錠剤の収容数を記憶する記憶手段と、処方データに含まれる錠剤の処方数を取得する取得手段と、前記取得手段で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得手段で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを選択して設定する設定手段とを備えることを特徴とする。また、本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数を記憶する記憶手段を備える情報処理装置の制御方法であって、処方データに含まれる錠剤の処方数を取得する取得工程と、前記取得工程で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得工程で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを特定する特定工程とを備えることを特徴とする。また、本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数を記憶する記憶手段を備える情報処理装置で読み取り実行可能なプログラムであって、前記情報処理装置を、処方データに含まれる錠剤の処方数を取得する取得手段と、前記取得手段で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得手段で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを特定する特定手段として機能させることを特徴とする。また、本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数を記憶する記憶手段を備える情報処理装置の制御方法であって、処方データに含まれる錠剤の処方数を取得する取得工程と、前記取得工程で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得工程で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを選択して設定する設定工程とを備えることを特徴とする。また、本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数を記憶する記憶手段を備える情報処理装置で読み取り実行可能なプログラムであって、前記情報処理装置を、処方データに含まれる錠剤の処方数を取得する取得手段と、前記取得手段で取得した当該錠剤の処方数、及び前記記憶手段に記憶された前記第１の錠剤シートの錠剤の収容数を用いて特定される第１残存錠剤数であって、前記第１の錠剤シートから前記処方数分の錠剤を供給した場合に前記第１の錠剤シートに残存する第１残存錠剤数と、前記取得手段で取得した当該錠剤の処方数、及び前記記憶手段に記憶された前記第２の錠剤シートの錠剤の収容数を用いて特定される第２残存錠剤数であって、前記第２の錠剤シートから前記処方数分の錠剤を供給した場合に前記第２の錠剤シートに残存する第２残存錠剤数と、を用いて、前記第１の錠剤シートと前記第２の錠剤シートのいずれの錠剤シートを当該錠剤の供給に用いるかを選択して設定する設定手段として機能させることを特徴とする。
【発明の効果】
【０００９】
本発明により、収容する錠剤の種類は同じであるが１枚当たりの錠剤の収容数が異なる複数の錠剤シートを有効に活用して、錠剤供給装置から錠剤を供給することが可能な仕組みを提供することが可能となる。
【図面の簡単な説明】
【００１０】
【図１】包装装置と錠剤供給装置を示す図である。
【図２】錠剤供給装置を示す図である。
【図３】錠剤取出ユニットの内部構造を示す図である。
【図４】錠剤取出ユニットの内部構造を示す図である。
【図５】錠剤取出ユニットの内部構造を示す図である。
【図６】包装ユニットの内部構造を示す図である。
【図７】錠剤供給装置の内部を横（正面から見て右側）から見た図である。
【図８】錠剤供給システムのハードウェア構成を示すブロック図である。
【図９】記憶部に保存されている薬品データベースの内容を示す図である。
【図１０】処方入力開始から終了までを示すフローチャートである。
【図１１】錠剤シートを決定するフローチャートである。
【図１２】錠剤取り出しユニットの内容を入力する図である。
【図１３】錠剤シートを決定するフローチャート内の算出結果を示した図である。
【図１４】記憶部に保存されている薬品データベースの内容を示す図である。
【発明を実施するための形態】
【００１１】
以下、本発明の錠剤供給システムの一実施形態について、添付図面を参照して詳細に説明する。
図１は、錠剤供給装置１０と、錠剤供給装置１０から供給された錠剤を包装する包装装置５を含む錠剤供給システム（分包システム）を示す図である。
錠剤供給装置１０は、処方編集画面（図１２）において設定された処方データまたは、
【００１２】
情報処理装置３００よりも上流側の調剤コントローラ（図示しない）から受信した処方データに従って錠剤を供給する装置である。また、情報処理装置３００は錠剤供給装置と通信可能に接続されている。
【００１３】
図１において、錠剤取出ユニット１は、錠剤シート４９から錠剤を取り出すユニットである。錠剤シートは、一般的にＰＴＰシートと呼ばれており、錠剤シートのことをＰＴＰシートとも言う。
【００１４】
錠剤シート４９は、錠剤を収容する錠剤収容部を有するシート本体の下面に、アルミニウム等からなる金属箔などを用いた封止シートを設けることによって錠剤が錠剤収容部に密封されたものである。
【００１５】
錠剤供給装置１０には複数の錠剤取出ユニット１が収納されている。錠剤取出ユニット１は、本発明の錠剤取出し装置の適用例である。錠剤取出ユニット１は、幅方向（左右方向）に６つ並べられ、この６つの錠剤取出ユニット１からなる組が上下に３段に配置されている。すなわち、錠剤取出ユニット１は、左右６列、上下３段に配列されている。なお、本実施形態では、錠剤供給装置１０は複数の錠剤取出ユニット１を備えているが、錠剤取出ユニット１の数は１つでもよい。
【００１６】
包装装置５は、錠剤供給装置１０の錠剤取出ユニット１から供給された錠剤を包装する装置である。散薬投入部１０３には、分包される散薬が投入される。散薬投入部１０３に投入された散薬は、投薬１回分に分けて、分けられた１回分の散薬が後述するメインホッパー５０５に入れられ、１回分ずつに分包される。
【００１７】
錠剤供給装置１０は、１つまたは複数の錠剤取出ユニット１の他に、錠剤取出ユニット１で取り出された錠剤を供給する錠剤供給ユニット４００を備えている。錠剤供給装置１０は、錠剤取出ユニット１により錠剤シート（ＰＴＰシート）から錠剤を取り出して、錠剤供給ユニット４００の供給経路を経て、包装装置５に供給する。
【００１８】
錠剤供給装置１０と包装装置５を含む錠剤供給システムは、また情報処理装置３００を含んでいる。情報処理装置３００は、錠剤供給装置１０及び包装装置５の外部に設けられており、錠剤供給装置１０及び包装装置５と通信可能に接続されている。情報処理装置３００には、パーソナルコンピュータやタブレット端末が用いられ、主に錠剤取出ユニット１が取り出す錠剤シートに関する情報を、薬品マスタを用いて管理している。
また、ＬＣＤ操作パネル１０４は、処方データの入力、処理の選択を促す画面を表示する。
【００１９】
図２は、錠剤供給装置１０を正面側から見て拡大して示した図である。図２において、投入口２０３は、錠剤シートを錠剤取出ユニット１に投入する部分である。
図３は、錠剤取出ユニット１の内部構造を示す斜視図である。なお、図３は、錠剤取出ユニット１が、２つ並んでいる状態を示している。
【００２０】
それぞれの錠剤取出ユニット１は、錠剤シート４９を搬送する搬送機構と、搬送機構により搬送された錠剤シート４９が載置される載置台と、載置台上の錠剤シート４９の錠剤収容部を押圧して錠剤を取り出す押出し機構とを有している。
【００２１】
錠剤シート４９は、シート部上に凸状の錠剤収容部が幅方向に間隔をおいて２列に並んだ形態である。各列をなす複数の錠剤収容部は錠剤シート４９の長さ方向に沿って並んでいる。
【００２２】
なお、本実施形態では、シート部上に錠剤収容部が２列に並んだ形態の錠剤シートを扱う錠剤供給装置について説明している。しかし、錠剤シート４９としては、シート部上に錠剤収容部が２列に並んだ形態のものに限らず、錠剤収容部が錠剤シート４９の長さ方向に１列に並んだ形態や、錠剤収容部が幅方向に間隔をおいて３列以上の複数列に並んだ形態も可能であり、本発明はこのような形態の錠剤シートの場合でも適用可能である。
【００２３】
図４は、錠剤取出ユニット１の内部構造を示す断面図であり、錠剤シートの投入口２０３に錠剤シートをセットし、錠剤シートを除包位置（錠剤の取出位置）まで搬送した状態を示す図である。
【００２４】
錠剤取出ユニット１は、錠剤シートを搬送する錠剤シート搬送機構と、錠剤シートが載置される載置台１８と、錠剤シートから錠剤を取り出す錠剤取出機構（押出し機構）とを備えている。
【００２５】
錠剤シート搬送機構は、錠剤シート４９を進行方向に向け搬送するものであって、進行方向に互いに間隔をおいて設けられた下部ローラ３９と、進行方向に互いに間隔をおいて設けられた上部ローラとを備えている。
【００２６】
下部ローラ３９は、駆動源により回転駆動可能であり、錠剤シート４９の下面に当接して錠剤シート４９に進行方法への力を加えることができる。上部ローラは、駆動源により回転駆動可能であり、錠剤シート４９のシート部の上面に当接して錠剤シート４９に進行方向への力を加えることができる。上部ローラの幅方向の配置位置は、２列の錠剤収容部の間に相当する位置であるため、上部ローラは錠剤収容部７４０１に当接することはない。
【００２７】
このような構成により、下部ローラ３９と上部ローラは、錠剤シート４９のシート部を上下から挟み込んで錠剤シート４９を進行方向に搬送できる。また、下部ローラ３９と上部ローラは逆回転することにより、錠剤シート４９を進行方向とは逆の方向にも搬送できる。
【００２８】
導入シュート２４は、載置台の下側に設けられており、錠剤シート４９から取り出された錠剤を、後述する錠剤導入路４０１に導くものである。すなわち、導入シュート２４は、載置台の下側に排出口を有しており、錠剤シート４９から取り出された錠剤はその排出口を通り、後述する錠剤導入路４０１に落ちていく。なお、この導入シュート２４は、錠剤取出しホッパーとも言う。
【００２９】
押出し機構（錠剤取出機構）は、錠剤収容部の中央付近を押圧する内側押圧体８３と、中央付近よりも外側の部分を押圧する外側押圧体８４とを備えている。内側押圧体８３と外側押圧体８４とが独立して動作することで錠剤シートの錠剤収容部を押圧して、錠剤シートから錠剤を取り出す。
【００３０】
押出し機構は、内側押圧体８３よりも先に外側押圧体８４により錠剤収容部を押圧させる。内側押圧体８３の先端は、ほとんどの錠剤シート４９の錠剤収容部よりも面積が狭いので、内側押圧体８３は錠剤を取り出す場合（下降した場合）に、錠剤シートに開いた穴から先端が突き出る。
【００３１】
外側押圧体８４の先端は、ほとんどの錠剤シート４９の錠剤収容部よりも面積が広いので、錠剤を取り出す場合（下降した場合）に、錠剤シート４９に開いた穴から先端が突き出ない。つまり、錠剤シート４９の錠剤収容部を押し潰すためのものである。
錠剤取出機構（押出し機構）は、外側押圧体８４を昇降させる第１昇降機構と、内側押圧体８３を昇降させる第２昇降機構とを有する。
【００３２】
第１昇降機構は、外側押圧体８４が取り付けられた第１昇降体９３と、回転駆動して第１昇降体９３を昇降させるカム９４と、第１昇降体９３を上昇方向に付勢する付勢部材（ばね）とを備えている。
【００３３】
第１昇降体９３は、前後方向にわたって延在する柱状体であり、前端部に外側押圧体８４が取り付けられている。カム９４は、外側押圧体８４の昇降動作を考慮して設計された形状の板状体であり、駆動機構によって回転駆動する軸部に固定されている。
【００３４】
カム９４は、第１昇降体９３の上面側に設けられ、軸部の回転に伴って回転駆動され、第１昇降体９３を押圧することによって外側押圧体８４の高さ位置を調整する（外側押圧体８４の昇降動作を行う）ことができる。第１昇降機構は、カムの回転動作のタイミング、カムの形状、軸部に対するカムの固定位置などの設定によって、外側押圧体８４の昇降動作のタイミングや変位量を任意に設定できる。
【００３５】
第２昇降機構は、内側押圧体８３が取り付けられた第２昇降体９８と、回転駆動して第２昇降体９８を昇降させるカム９９と、第２昇降体９８を上昇方向に付勢する付勢部材（ばね）とを備えている。
【００３６】
第２昇降体９８は、前後方向にわたって延在する柱状体であり、前端部に内側押圧体８３が取り付けられている。カム９９は、第２昇降体９８の上面側に設けられ、軸部の回転に伴って回転駆動され、第２昇降体９８を押圧して内側押圧体８３の高さ位置を調整する（内側押圧体８３の昇降動作を行う）ことができる。第２昇降機構は、カム９９の回転動作のタイミング、カムの形状、軸部に対するカムの固定位置などの設定によって、内側押圧体８３の昇降動作のタイミングや変位量を任意に設定できる。
【００３７】
このため、カム９４とカム９９は、それぞれ第１昇降体と第２昇降体に対して互いに独立に動作可能であり、内側押圧体８３と外側押圧体８４は、互いに独立に昇降動作させることができる。
【００３８】
錠剤取出機構における２つのカムの回転動作のタイミング等は、錠剤位置検出機構の検出部からの信号に基づいて定めることができる。具体的には、検出された錠剤収容部の位置に合わせて内側押圧体８３と外側押圧体８４を動作させることができる。
【００３９】
錠剤取出ユニット１は、錠剤シートの錠剤収容部の押圧をする前に、押圧される錠剤収容部の長さと位置を検出する検出機構１７をさらに有している。錠剤供給装置は、検出機構１７により検出された錠剤収容部の長さに基づいて後述する所定の距離を算出する。
【００４０】
また、錠剤供給装置１０は、検出機構１７により検知された錠剤シートの錠剤収容部の位置に基づいて、押圧される位置までの搬送距離を算出する。搬送機構（下部ローラ３９、上部ローラ）は、この算出された搬送距離により載置台１８上の錠剤収容部が押圧される位置まで錠剤シートを搬送する。
【００４１】
なお、押出し機構は、後述する錠剤が取り出されたか否かを検知する検知機構により錠剤が取り出されたことが検知されない場合には、錠剤収容部の押圧を継続（リトライ）する。このとき、搬送機構は、錠剤収容部の押圧を継続する前に載置台１８上の押圧される位置から、前述した錠剤収容部の長さに基づいて算出された所定の距離だけ錠剤シート４９を前方または後方に搬送し、押出し機構が、錠剤収容部の押圧を継続（リトライ）する。
【００４２】
ここで、錠剤取出ユニット１は、押出し機構により載置台１８上の錠剤シート４９の錠剤収容部を押圧する速度を変更させる変更機構をさらに有している。そして、押出し機構は、より高速に変更された速度で錠剤収容部の押圧を継続（リトライ）する。
次に、図５は錠剤取出ユニット１の内部構造における図４に示されていない部分を示す図である。
【００４３】
図５において、シート検出センサ７５０１は小型のマイクロスイッチで構成されており、錠剤シート４９が投入口にセットされるとマイクロスイッチが外側へ押されることによりＯＮ信号を出力し、錠剤シート４９が投入口にセットされていることを検出する。
バーコードスキャナ７５０２は、投入口にセットされた錠剤シート４９の裏面に印字されているバーコード情報７４０３を読み取る位置に設置されている。
【００４４】
このように錠剤供給装置１０は、全ての錠剤取出ユニット１の錠剤シートが投入される投入口に、錠剤シート４９の種別を識別する錠剤シート情報を読み取る読取部（バーコードスキャナ７５０２）を装備している。
図６は、包装ユニット７０１の内部構造を示す図である。図６に示される包装ユニットにより、投薬１回分の錠剤が分包される。
【００４５】
図６において、包装ユニット７０１は、包装装置５内のユニットである。ロール紙送出機構７０２は、包装シートが連なるロール紙（分包紙がロール状になっている紙）を包装機構に送り出す。
【００４６】
包装機構７０３，７０４は、メインホッパー５０５内に集積された錠剤（１回分の錠剤）を包装シートの中に投入し、この包装シートを加熱し溶着することにより、包装シートの中に投入された錠剤を、包装シートの中に封入する。すなわち、包装機構７０３，７０４で、包装シートを加熱し溶着することにより、包装シートの中に投入された錠剤を、包装シートの中に封入する。
分断機構７０５は、連なるロール紙を１包毎の包装シート（１つの包み）に分断するための分断用ミシン目を形成する。
プリンタ７０６は、包装シートに、日付、患者データ、エラー情報を印字する（印字機構）。
【００４７】
図７は、錠剤供給装置１０の内部を横（正面から見て右側）から見た図である。図７に示す点線の矢印１２０１は、錠剤取出ユニット１から取り出された錠剤の移動経路を示している。
【００４８】
４０１は錠剤導入路である。錠剤導入路４０１は、導入シュート２４と導通しており、錠剤シート４９から取り出され落下した錠剤を導入シュート２４から第１集積ホッパー４０２に中継する。
【００４９】
第１集積ホッパー４０２は、錠剤取出ユニット１により、錠剤シートから取り出された錠剤が導入シュート２４を落下して通り、そして、導入シュート２４から錠剤導入路４０１を通り、該錠剤が集積される部分である。すなわち、錠剤導入路４０１は、第１集積ホッパー４０２と直接、連通している。
【００５０】
第２集積ホッパー５０１は、第１集積ホッパー４０２で集積された錠剤をさらに集積する。すなわち、第２集積ホッパー５０１は、第１集積ホッパー４０２と連通している。そのため、第１集積ホッパー４０２に落ちてきた錠剤は、第２集積ホッパー５０１に落ちて集積される。
【００５１】
第１の送り出し機構５０２は、第２集積ホッパー５０１に集積された錠剤を第３集積ホッパー５０３に移動させる。第３集積ホッパー５０３は、第１の送り出し機構５０２により送り出（移動）された錠剤を集積する。
【００５２】
第２の送り出し機構５０４は、第３集積ホッパー５０３に集積された錠剤をメインホッパー５０５に移動させる。メインホッパー５０５は、第２の送り出し機構５０４により送り出（移動）された錠剤（１回分）を集積し、包装シート（分包紙）の中に集積した錠剤を投入する。
【００５３】
図８は、錠剤供給システムのハードウェア構成を示すブロック図である。この構成において、情報処理装置３００のＣＰＵ３０と、包装装置５のＣＰＵ５１と、錠剤供給装置１０のＣＰＵ１１とがそれぞれ連携して、包装装置５が制御する各装置（各ユニット）、及び錠剤供給装置１０が制御する各装置（各ユニット）の動作を制御している。ただし、１つのＣＰＵが、錠剤供給システムの全てのユニットを制御する構成でも構わない。また、ここでは錠剤供給装置１０にＣＰＵが１つ設けられている状態を図示しているが、錠剤取出ユニット１ごとにＣＰＵを設けてもよいし、錠剤取出ユニット１の段ごとにＣＰＵを設けてもよい。
【００５４】
まず情報処理装置３００のハードウェア構成について説明する。情報処理装置３００のＣＰＵ３０は、システムバスに接続される各デバイスやコントローラを統括的に制御する。また、ＲＯＭ３１あるいは外部メモリ３６には、ＣＰＵ３０の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３３は、ＣＰＵ３０の主メモリ、ワークエリア等として機能する。ＣＰＵ３０は、処理の実行に際して必要なプログラム等をＲＡＭ３３にロードして、プログラムを実行することで各種動作を実現するものである。
【００５５】
また、ＣＰＵ３０は、キーボードや不図示のマウス等の入力端末３５からの入力を制御する。ビデオコントローラ（ＶＣ）は、ディスプレイ３４等の表示器への表示を制御し、さらに、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク或いはＰＣＭＣＩＡカードスロットにアダプタを介して接続されるコンパクトフラッシュ（登録商標）等の外部メモリ３６へのアクセスを制御する。
またＩ／Ｆ３２は、ネットワークを介して外部機器と接続・通信するものであり、本実施形態においては包装装置５のＩ／Ｆ５０と通信可能に接続されている。
【００５６】
次に、包装装置５のハードウェア構成について説明する。包装装置５のＣＰＵ５１は、バスに接続されている各デバイスを統括的に制御する。ＲＯＭ５２にはＣＰＵ５１の制御ブログラムや各種制御プログラムが記憶されている。ＲＡＭ５３は、ＣＰＵ５１が動作するためのシステムワークメモリとして機能する。ＣＰＵ５１は、タッチパネル式のディスプレイ５０１に対して表示制御したり、ディスプレイ５０１のタッチパネル機能を入力端末５０２としてユーザから情報の入力を受け付けたり、プリンタ７０６に印刷指示を出したりする。さらにＣＰＵ５１は、包装装置５の散薬投入部１０３から投入された散薬を１包に分包する際に動作させる散薬分包機構５５を制御したり、ユーザから手撒き投入部に手撒きされた錠剤を分包する際に動作させる手撒き投入機構５６を制御したりする。そして包装装置５と錠剤供給装置１０とは、包装装置５のＩ／Ｏ５４と錠剤供給装置１０のＩ／Ｏ１２とで通信可能に接続されている。
【００５７】
次に、錠剤供給装置１０のハードウェア構成について説明する。錠剤供給装置１０のＣＰＵ１１は、バスに接続されている各デバイスを統括的に制御する。ＲＯＭ１４にはＣＰＵ１１の制御ブログラムや各種制御プログラムが記憶されている。ＲＡＭ１３は、ＣＰＵ１１が動作するためのシステムワークメモリとして機能する。ＣＰＵ１１は、さらに錠剤取出機構１５における取出動作を制御したり、錠剤シート４９を搬送する錠剤シート搬送機構１６を制御したりすることもできる。
【００５８】
このようなハードウェア構成においては、以下のようにして錠剤取出が行われる。まず包装装置５のＣＰＵ５１が、錠剤供給装置１０のＣＰＵ１１に対して、錠剤の取出動作命令を送信する。そして、錠剤供給装置１０のＣＰＵ１１が、この取出動作命令に従って、錠剤取出機構１５や錠剤シート搬送機構１６を制御して錠剤取出動作を行わせる。また、錠剤供給装置１０のＣＰＵ１１は、包装装置５のＣＰＵ５１に対して、錠剤取出動作の状況を示す動作情報を送信する。
【００５９】
また、上記の実施形態では、錠剤取出ユニット１により錠剤を取り出して包装する場合について説明したが、本発明はこれに限定されることなく、錠剤シートを錠剤シートのままで払い出す調剤装置にも適用できる。その場合には、図４、図５に示した錠剤取出ユニットにおいて、錠剤シートのバーコードを読み出す機能を残して、錠剤シートから錠剤を押し出して取り出す機構を省けばよい。
【００６０】
なお、上記実施形態を実現するために、情報処理装置３００が実行するプログラムは、外部メモリ３６に記録されており、必要に応じてＲＡＭ３３にロードされることによりＣＰＵ３０によって実行されるものである。さらに、上記プログラムの実行時に用いられるデータファイル及びデータテーブル等も、外部メモリ３６または記憶部に格納されている。
【００６１】
上記実施形態を実現するために、包装装置５が実行するプログラムは、ＲＯＭ５２に記録されており、必要に応じてＲＡＭ５３にロードされることによりＣＰＵ５１によって実行されるものである。さらに、上記プログラムの実行時に用いられるデータファイル及びデータテーブル等も、ＲＯＭ５２または記憶部に格納されている。
【００６２】
本実施形態を実現するために、錠剤供給装置１０が実行するプログラムは、ＲＯＭ１４に記録されており、必要に応じてＲＡＭ１３にロードされることによりＣＰＵ１１によって実行されるものである。さらに、上記プログラムの実行時に用いられるデータファイル及びデータテーブル等も、ＲＯＭ１４または記憶部に格納されている。
【００６３】
また、本実施形態におけるプログラムは、図１０、図１１のフローチャートの処理を情報処理装置３００及び包装装置５及び錠剤供給装置１０が実行可能なプログラムであり、記憶媒体にプログラムとして記憶している。
（本発明の他の実施形態）
【００６４】
以上のように、前述した実施形態の機能を実現するプログラムを記録した記録媒体を、包装装置５や錠剤供給装置１０に単独で供給し、包装装置５や錠剤供給装置１０内の制御コンピュータ（またはＣＰＵやＭＰＵ）によって、記録媒体に格納されたプログラムを読出し実行することによっても、本発明の目的が達成されることは言うまでもない。この場合、記録媒体から読み出されたプログラム自体が本発明の新規な機能を実現することになり、そのプログラムを記憶した記録媒体は本発明を構成することになる。
【００６５】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００６６】
また、読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって、前述した実施形態の機能が実現される場合も含まれることは言うまでもない。さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００６７】
このように、本発明は、複数の装置から構成されるシステムに適用しても、１つの装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００６８】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
図９を説明する。
【００６９】
図９は、情報処理装置３００（あるいは錠剤供給装置１０、包装装置５）の記憶部が記憶している薬品マスタのデータベース内容を示す図である。薬品マスタのデータベースファイル内の１行ごとに錠剤データが記憶されている。
【００７０】
１つの薬品と対応づけて一意に対応する各種関連情報を持つことが出来き、各薬品に対して各種関連情報設定を登録することが出来る。１行は１つの薬品を表しており、複数行登録できる。
５３０１は薬品の薬品コードである。
５３０２は薬品（錠剤）の薬品名（販売名）を示すデータで、錠剤情報である。
【００７１】
このように薬品マスタには、錠剤の種別は同じであるが、シート１枚当たりの収容数が異なっている複数タイプの錠剤シートに対応する錠剤情報を記憶している（記憶手段）。
５３０３は薬品の１錠当たりの成分量である。
５３０４は薬品を包装されている１枚の錠剤シート内に包装されている収容数である。
このように薬品マスタには、複数タイプの錠剤シートにそれぞれが収容しているシート１枚当たりの収容数をさらに記憶している。
図１４を説明する。
【００７２】
図１４は、情報処理装置３００（あるいは錠剤供給装置１０、包装装置５）の記憶部が記憶している薬品マスタのデータベース内容を示す図である。薬品マスタのデータベースファイル内の１行ごとに錠剤データが記憶されている。
【００７３】
１つの薬品と対応づけて一意に対応する各種関連情報を持つことが出来き、各薬品に対して各種関連情報設定を登録することが出来る。１行は１つの薬品を表しており、複数行登録できる。
５３０２は薬品（錠剤）の薬品名（販売名）を示すデータで、錠剤情報である。
５３０５は薬品名（販売名）に対応する錠剤シートである。
このように薬品マスタには、錠剤種別毎に錠剤種別を収容している錠剤シートを対応づけて記憶している。
図１０を説明する。
図１０は、外部接続である情報処理装置３００が記憶部に記憶しているプログラムを、情報処理装置３００のＣＰＵが読み取り実行するフローチャートの一例である。また、装置本体である錠剤供給装置１０あるいは包装装置５の記憶部に記憶しているプログラムを、錠剤供給装置１０あるいは包装装置５のＣＰＵが読み取り実行してもよい。
図１０は、ユーザが処方内容を情報処理装置に入力完了するまでのフローチャートである。
【００７４】
ステップＳ５００１では、ユーザは処方内容を入力するために情報処理装置上の処方編集画面を表示して用法、包数、等の処方内容を入力する。次に、ユーザは錠剤取出ユニット１の設定を行うため、錠剤取出ユニット１の設定画面を表示させる。
ステップＳ５００２では、情報処理装置３００は錠剤取出ユニット１の設定画面（図１２）を表示する。
ステップＳ５００３では、ユーザは情報処理装置上の錠剤取出ユニット１を選択する。
ステップＳ５００４では、錠剤取り出しユニット１が取り出す各服用時点の錠剤量を入力する。
【００７５】
つまりここで情報処理装置３００は、Ｓ５００５で受け付ける錠剤情報毎に、錠剤供給装置から供給すべき数として必要な処方数を受け付けている（処方数受付手段）。
【００７６】
ステップＳ５００５では、ユーザは選択した錠剤取出ユニット１に対して、薬品名を選択する。このときに、情報処理装置３００は錠剤取出ユニットで取出動作をするためのスタート指示を受け付ける前に、錠剤シートに関する情報を受け付けている。
つまりここで情報処理装置３００は、錠剤の種別を識別する錠剤情報を受け付けている（錠剤情報受付手段）。
【００７７】
なお、錠剤シートに関する情報とは、錠剤シートを特定可能な情報または錠剤シートが収容する錠剤種別であればよく、例えば錠剤シートの薬品名称や錠剤の薬品名称でもよく、錠剤シートの管理番号や錠剤の管理番号でもよい。なお、この時に錠剤シートに関する情報を受け付ける方法は、ユーザの操作により一覧の中から選択させてもよく、錠剤シートの管理番号や錠剤の管理番号を図示しないバーコード読み取り機構等を用いて読み取らせてもよい。
ステップＳ５００６では、選択された薬品名を元に薬品シートの決定を行う。詳細は図１１で説明する。
ステップＳ５００７では、図１１で決定された錠剤シートを５７０７に描画する。
【００７８】
つまりここで情報処理装置３００は、Ｓ５２０２において記憶されていると判定した場合に、錠剤の種別は同じであるが、シート１枚当たりの収容数が異なっている複数タイプの錠剤シートが、錠剤供給装置において使用可能である旨を通知している（通知手段）。
なお、錠剤供給装置１０が単独で、図１０及び図１１のフローチャートを実行してもよく、その場合には、錠剤の種別は同じであるが、シート１枚当たりの収容数が異なっている複数タイプの錠剤シートが、錠剤供給装置において使用可能である旨を、ＬＣＤ操作パネル１０４を用いて図１２の処方編集画面等を表示することで通知してもよい。
なお、包装装置５に錠剤供給装置１０を組み合わせたシステムで、図１０及び図１１のフローチャートを実行してもよく、その場合には、錠剤の種別は同じであるが、シート１枚当たりの収容数が異なっている複数タイプの錠剤シートが、錠剤供給装置において使用可能である旨を、ＬＣＤ操作パネル１０４を用いて図１２の処方編集画面等を表示することで通知してもよい。
【００７９】
図１２の処方編集画面中の５７０７に示したように、Ｓ５２０７で選択した錠剤シート（例えば１４錠シート）を、錠剤供給装置において使用可能である旨を通知している。
ステップＳ５００８はユーザが入力した処方内容を確定するステップである。
図１１を説明する。
図１１は、外部接続である情報処理装置３００が記憶部に記憶しているプログラムを、情報処理装置３００のＣＰＵが読み取り実行するフローチャートの一例である。また、装置本体である錠剤供給装置１０あるいは包装装置５の記憶部に記憶しているプログラムを、錠剤供給装置１０あるいは包装装置５のＣＰＵが読み取り実行してもよい。
図１１は、図１０の一部の処理を関数化したものであり、薬品の錠剤シートを決定する処理である。
【００８０】
ステップＳ５２０１は入力された薬品名を元に薬品データベースより同一薬品を取得するステップである。ここで説明している同一薬品とは、薬品名が同一かつ成分量が同一の薬品のことを指している。例えば、図９で説明すると「薬品名Ａ  ５ｍｇ」の同一薬品は、薬品コードが１と２の薬品を指す。また、「薬品名Ａ  １０ｍｇ」の同一薬品は、薬品コード３と４を指す。さらに、「薬品名Ｂ  ２５ｍｇ」や「薬品名Ｂ  ５０ｍｇ」については、同一薬品が存在しないことがわかる。
【００８１】
ステップＳ５２０２は同一薬品を取得した結果、複数の同一薬品が存在しているかをチェックするステップである。複数の同一錠剤が存在する場合は、ステップＳ５２０３へ遷移する。そうでない場合はステップＳ５２０８へ遷移する。
【００８２】
つまりここで情報処理装置３００は、錠剤情報（Ｓ５００５）及び必要な処方数（Ｓ５００４）の両方を受け付けた場合には、受け付けた錠剤情報と錠剤の種別は同じであるが、シート１枚当たりの収容数が異なっている複数タイプの錠剤シートが記憶手段（図９）に記憶されているか否かを判定している（シート判定手段）。
【００８３】
ステップＳ５２０３は錠剤取り出しユニット１で必要な錠剤数を算出するステップである。例として、１日３回毎食後７日分の用法で、錠剤取り出しユニットの錠剤数は朝２錠、昼２錠、夕２錠の処方内容の場合、錠剤取り出しユニットが必要な錠剤数は７日分×（１日分）６錠＝４２錠と算出できる。
【００８４】
ステップＳ５２０４は必要錠剤数とそれぞれの同一錠剤の錠剤数の剰余を算出する。例として、必要な錠剤数が４２錠で、１０錠シートと１４錠シートについての剰余は１０錠シートの場合、４２錠÷１０錠＝４．２となり剰余ありとなる。また、１４錠シートの場合、４２錠÷１４錠＝３となり剰余なしとなる。
【００８５】
ステップＳ５２０５はステップＳ５２０４で算出された剰余について剰余０の場合は、錠剤シートが使い切れるのでステップＳ５２０８へ遷移する。そうでない場合は、ステップＳ５２０６へ遷移する。
【００８６】
ステップＳ５２０６は、必要錠剤数とそれぞれの各同一錠剤シートの錠剤数を使って、それぞれの残錠剤数を算出するステップである。例として、錠剤取り出しユニットが必要な錠剤数が１７錠において１０錠シートの場合、１０錠―（１７錠  Ｍｏｄ  １０錠）＝３錠が求まる。次に１４錠シートの場合、１４錠―（１７錠  Ｍｏｄ  １４錠）＝１１錠と求まる。ここでのＭｏｄは、除算した剰余を求める算術記号である。
【００８７】
ステップＳ５２０７は、それぞれ算出した残錠剤数の中で、最小の残錠剤数となる錠剤シートを検索して決定するステップである。例として、錠剤取り出しユニットの必要錠剤数が１７錠であって、同一錠剤が１０錠シートと１４錠シートがあった場合、１０錠シートの残錠剤数は３錠、１４錠シートの残錠剤数は１１錠と求まる。最小の残錠剤数は１０錠シート（残錠剤数３錠）とわかるので、１０錠シートに決定する。
【００８８】
つまりここで情報処理装置３００は、Ｓ５２０２において記憶されていると判定した場合には、供給すべき数と、複数タイプの錠剤シートにそれぞれが収容しているシート１枚当たりの収容数に従って、複数タイプの錠剤シートの中で、供給すべき数がシート１枚当たりの収容数の倍数よりも超過する端数が少ない方の錠剤シートを選択している（選択手段）。
【００８９】
ステップＳ５２０８は、割り切れた錠剤シートを決定するステップである。また、割り切れた錠剤シートが複数存在した場合は、錠剤シートの錠剤数が最小である錠剤シートを採用してもよい。
ステップＳ５２０９は、ステップＳ５００７で決定した錠剤シートをそのまま利用するステップである。
【００９０】
つまりここで情報処理装置３００は、Ｓ５２０２において記憶されていないと判定した場合には、Ｓ５００５受け付けた錠剤情報に対応する錠剤シートを薬品マスタ（図１４）から検索して、Ｓ５００７において通知する。
図１２を説明する。
【００９１】
図１２は情報処理装置３００に表示される処方編集画面を示す図である。この処方編集画面では使用する錠剤取出ユニットから供給する処方データの設定を行うことができる。
尚変形例として、処方編集画面は包装装置５本体の表示部５０１に表示されてもよい。
５７０１はＯＫボタンであり、押下すると完了した処方編集を保存してメイン操作画面へ戻る。
【００９２】
５７０２は錠剤取出ユニット毎に処方データを設定する欄である。処方編集画面上での錠剤取出ユニットの配列は錠剤供給装置１０の錠剤取出ユニット１の配列と一致している。処方データを設定する錠剤取出ユニットのボタンを押下することで設定を行うことができる。この処方編集画面の例では錠剤取出ユニットの番号１が選択された状態である。また、選択された状態であれば、各ユニットのボタン上に薬品名（薬品名Ａ  ５ｍｇなど）と各服用時期での錠剤数（１−１−１等）も併せて表示される。錠剤取出ユニット１を表すボタンであり、実際の錠剤取出ユニット１と対応して表示している。錠剤取出ユニット１ボタンを選択すると、ピンク色に変わり、選択ＯＮ（分包動作時に動作させる）状態に切り替わる。
【００９３】
５７０３は薬品名の選択ボタンである。押下すると薬品名の選択画面に移行し、直近に押下した錠剤取出ユニットのボタンのユニット番号に対応づけた薬品名を選択することになる。このようにして、錠剤数（１−１−１等）で１包化する錠剤種別を受け付けている。
【００９４】
５７０４は選択された錠剤取り出しユニットの錠剤数を入力する欄である。錠剤数は用法に従った位置の錠剤数を入力する。図では、朝食後１錠、昼食後１錠、夕食後１錠と入力されている。
５７０５は錠剤取り出しユニットに登録した薬品名を表示している。
５７０６は錠剤取り出しユニットに設定した錠剤数を表示している。
５７０７はステップＳ５００７で決定した錠剤シートの錠剤数を表示している。
図１３を説明する。
図１３は図１１内で算出される結果をわかりやすくした図である。
【００９５】
６００１は錠剤取り出しユニットの必要錠剤数が４２錠の場合を想定した算出結果である。この表では剰余６０１４が、剰余なし（４２錠  Ｍｏｄ  １４錠＝０錠）となるため結果として１４錠シートに決定される。また、残錠剤数６０１５は計算されない。
【００９６】
６００２は錠剤取り出しユニットの必要錠剤数が１７錠の場合を想定した算出結果である。この表では、１０錠シートおよび１４錠シートの剰余があるため、残錠剤数による決定方法を行う。それぞれの錠剤シートで残錠剤数が算出されるが、この場合、残錠剤数が最小の錠剤シートを採用する。最小の残錠剤数の錠剤シートを決定することにより、次回手撒きによる錠剤セット時には、作業者が手で撒く錠剤数が少なくてよい為である。
【００９７】
６００３は錠剤取り出しユニットの必要錠剤数が６６錠の場合を想定した算出結果である。この表では、剰余結果および残錠剤数が同じ結果であるため、１０錠シートに決定する。だが、別途作業者が錠剤シートを選択または事前設定により決定してよい。
【００９８】
６００４は錠剤取り出しユニットの必要錠剤数が７０錠の場合を想定した算出結果である。この表では、剰余結果が同じ結果であるため、１０錠シートに決定する。だが、別途作業者が錠剤シートを選択または事前設定により決定してよい。
６０１１は錠剤取り出しユニットが必要な錠剤数であり、ステップＳ５２０３の算出結果である。
６０１２は薬品名であり、ステップＳ５２０１で検索された薬品名である。
６０１３は錠剤シートに包装されている錠剤数であり、ステップＳ５２０１で検索された結果である。
【００９９】
６０１４は錠剤シートの枚数の剰余結果である。剰余がある場合は「あり」、剰余が０の場合は「なし」と表記しており、ステップＳ５２０４で算出された結果である。
６０１５は残錠剤数を算出した結果であり、ステップＳ５２０６で算出された結果である。
次に実施形態を説明する。
図１０のフローチャートを元に説明する。
【０１００】
まず初めに、ユーザは情報処理装置３００上で処方の入力を行う。例として、分３毎食後、１４日分（４２包）、等である。次に、錠剤取出ユニット１の設定画面（図１２）を表示させて、錠剤取出ユニット１（Ｎｏ１）のボタンをクリックして選択ＯＮ状態にする。続けて、錠剤取り出しユニット１の錠剤量を１−１−１と入力する。次に、錠剤取出ユニット１（Ｎｏ１）に薬品名「薬品名Ａ  ５ｍｇ」を設定する。この時、ステップＳ５００６内のＳ５２０２において、薬品名「薬品名Ａ  ５ｍｇ」をデータベース内より検索すると、薬品名Ａ  ５ｍｇの薬品が２薬品（薬品コード１と２）検索される。薬品コード１と２が検索されたのでステップＳ５２０２の判断は、ステップＳ５２０３へ遷移する。ステップＳ５２０３では錠剤取り出しユニット１の必要錠剤数は１４日分×３錠＝４２錠と算出される。ステップＳ５２０４では、薬品コード１の「薬品名Ａ  ５ｍｇ」（１０錠シート）の剰余は２錠となる。薬品コード２の「薬品名Ａ  ５ｍｇ」（１４錠シート）の剰余は０錠となる。ステップＳ５２０５では、薬品コード２（１４錠シート）の剰余が０錠であるため、ステップＳ５２０８へ遷移する。ここまでの内部の計算結果は６００１になる。ステップＳ５２０８では、１４錠シートの「薬品名  Ａ５ｍｇ」に決定する。
上記、ユーザによる処方内容の入力内容が終わり内容を確定するため、５７０１をクリックして処方内容を確定させる。
【０１０１】
次に、ユーザは入力した処方内容に従った薬品を実際の分包機および錠剤取出ユニット１（Ｎｏ１）にセットする。ここでは、薬品名「薬品名Ａ  ５ｍｇ」の１４錠シートを錠剤取出ユニット１（Ｎｏ１）に３枚セットする。
【符号の説明】
【０１０２】
１      錠剤取出ユニット
５      包装装置
１０    錠剤供給装置
４７    錠剤収容部
４８    錠剤
４９    錠剤シート
３００  情報処理装置（コンピュータ）
【図１】
0006365296.tif 000002
【図２】
0006365296.tif 000003
【図３】
0006365296.tif 000004
【図４】
0006365296.tif 000005
【図５】
0006365296.tif 000006
【図６】
0006365296.tif 000007
【図７】
0006365296.tif 000008
【図８】
0006365296.tif 000009
【図９】
0006365296.tif 000010
【図１０】
0006365296.tif 000011
【図１１】
0006365296.tif 000012
【図１２】
0006365296.tif 000013
【図１３】
0006365296.tif 000014
【図１４】
0006365296.tif 000015